(57)【要約】【課題】ファイルを送信する場合において、利用者による簡易な指示に応じたファイルサイズに分割することのできる画像処理装置、画像処理方法、およびプログラムを提供できるようにする。【解決手段】複数の原稿画像をスキャン処理し（１）、スキャン処理が施された全スキャン画像にかかるシングルページを、利用者から指定されたページ数毎に分割し（２）、当該所定のページごとにマルチファイル化し（３）、マルチファイルを配信先に配信する（４）。【選択図】        図３
2008167287.tif 000002
【特許請求の範囲】
【請求項１】
ネットワークに接続され、前記ネットワークと通信可能な画像処理装置であって、
配信対象となる原稿画像の複数ページのうち、一のマルチファイルにまとめられるページ数の指定を受け付けるページ数受付手段と、
前記ページ数受け付け手段により受け付けた指定にかかるページ数毎に、前記原稿画像の複数ページを分割してマルチファイルを生成するファイル分割手段と、
前記ファイル分割手段により生成されたマルチファイルを前記ネットワークを介して配信するファイル配信手段と、
を備えたことを特徴とする画像処理装置。
【請求項２】
ネットワークに接続され、前記ネットワークと通信可能な画像処理装置であって、
マルチファイルの数の指定を受け付けるファイル数受付手段と、
前記ファイル数受付手段で受け付けた指定にかかるマルチファイルの数に基づいて、配信対象となる原稿画像の複数ページのうち、一のマルチファイルにまとめられる前記原稿画像のページ数を算出するページ数算出手段と、
前記ページ数算出手段で算出した前記原稿画像のページ数毎に、前記原稿画像の複数ページを分割してマルチファイルを生成するファイル分割手段と、
前記ファイル分割手段により生成されたマルチファイルを前記ネットワーク介して配信するファイル配信手段と、
を備えたことを特徴とする画像処理装置。
【請求項３】
前記ファイル配信手段は、前記ファイル分割手段により生成されたマルチファイルの数、および／または当該マルチファイルにまとめられた前記原稿画像のページ数を含む名称を、前記ファイル分割手段により生成されたマルチファイルの名称にすること、
を特徴とする請求項１または請求項２に記載の画像処理装置。
【請求項４】
前記ファイル配信手段は、前記ファイル分割手段により生成されたマルチファイルの数、および／または当該マルチファイルにまとめられた前記原稿画像のページ数を含む名称を、前記ファイル分割手段に生成されたマルチファイルを添付したメールのサブジェクトとして配信すること、
を特徴とする請求項１または請求項２に記載の画像処理装置。
【請求項５】
前記マルチファイルの許容サイズの指定を受け付けるファイルサイズ受付手段と、
前記ファイル配信手段により配信されるマルチファイルのサイズが、前記ファイルサイズ受付手段により受け付けた前記許容サイズを超える場合に、警告を示す情報を出力する警告出力手段と、
をさらに備えたことを特徴とする請求項１〜請求項４のいずれか一つに記載の画像処理装置。
【請求項６】
前記マルチファイルの許容サイズの指定を受け付けるファイルサイズ受付手段と、
前記ファイル配信手段により配信されるマルチファイルのサイズが、前記ファイルサイズ受付手段により受け付けた前記許容サイズを超える場合に、前記ファイル配信手段によるマルチファイルの配信を実行させるか否かを選択させる配信実行選択手段と、
をさらに備えたことを特徴とする請求項１〜請求項５のいずれか一つに記載の画像処理装置。
【請求項７】
配信対象となる原稿画像の複数ページのうち、一のマルチファイルにまとめられるページ数の指定を受け付けるページ数受付工程と、
前記ページ数受付工程で受け付けた指定にかかるページ数毎に、前記原稿画像のページを分割してマルチファイルを生成するファイル分割工程と、
前記ファイル分割工程で生成したマルチファイルを配信するファイル配信工程と、
を含むことを特徴とする画像処理方法。
【請求項８】
マルチファイルの数の指定を受け付けるファイル数受付工程と、
前記ファイル数受付工程で受け付けた指定にかかるマルチファイルの数に基づいて、配信対象となる原稿画像の複数ページのうち、一のマルチファイルにまとめられる前記原稿画像のページ数を算出するページ数算出工程と、
前記ページ数算出工程で算出した前記原稿画像のページ数毎に、前記原稿画像のページを分割してマルチファイルを生成するファイル分割工程と、
前記ファイル分割工程で生成したマルチファイルを配信するファイル配信工程と、
を含むことを特徴とする画像処理方法。
【請求項９】
請求項７または請求項８に記載の画像処理方法をコンピュータに実行させること、を特徴とするプログラム。
【発明の詳細な説明】
【技術分野】
【０００１】
本発明は、画像処理装置、画像処理方法、およびプログラムに関し、特に、配信対象である原稿画像が複数ページである場合に、所定のページ数の原稿画像をマルチファイル化して複数のファイルに分割する画像処理装置、画像処理方法、およびプログラムに関するものである。
【背景技術】
【０００２】
ネットワークに接続されたＭＦＰ（Multi Function Peripheral）などの画像形成装置が、ネットワークを介して、配信先に対してファイルを配信する技術が存在する。
【０００３】
配信対象であるファイルの原稿画像が複数ページである場合において、配信ファイルのサイズの指定がなければ、一般的に、当該複数ページの原稿画像全てをマージしてマルチファイル化し、マルチファイル化された一のファイルを配信先に配信する。
【０００４】
しかし、マルチファイル化されたファイルを配信する場合には、その容量の多さからネットワークのトラフィックの原因になり、配信失敗になる可能性がある。
【０００５】
そこで、ファイルを配信する際には複数のファイルに分割し、それぞれのファイルを配信するのが望ましい。
【０００６】
ファイル配信に関連する技術が、特許文献１に開示されている。特許文献１には、画像データを格納したファイルのサイズが、利用者によって指定されている数値を超える場合に、汎用データ圧縮フォーマットにより自動的にデータ圧縮し、データ圧縮してもなお当該指定されている数値を超える場合に、圧縮したファイルをさらに所定の値で均等に分割する技術が開示されている。
【０００７】
【特許文献１】特開２００５−１７５６４７号公報
【発明の開示】
【発明が解決しようとする課題】
【０００８】
しかしながら、特許文献１に記載の従来技術では、配信対象となるファイルの分割をファイル容量に基づいて行っているので、利用者にとってファイルサイズの指定が煩雑になってしまうという問題点があった。
【０００９】
本発明は、上記に鑑みてなされたものであって、ネットワークを介してファイルを配信する場合において、利用者による簡易な指示に応じたファイルサイズに分割することのできる画像処理装置、画像処理方法、およびプログラムを提供することを目的とする。
【課題を解決するための手段】
【００１０】
上述した課題を解決し、目的を達成するために、本発明は、ネットワークに接続され、前記ネットワークと通信可能な画像処理装置であって、配信対象となる原稿画像の複数ページのうち、一のマルチファイルにまとめられるページ数の指定を受け付けるページ数受付手段と、前記ページ数受け付け手段により受け付けた指定にかかるページ数毎に、前記原稿画像の複数ページを分割してマルチファイルを生成するファイル分割手段と、前記ファイル分割手段により生成されたマルチファイルを前記ネットワークを介して配信するファイル配信手段と、を備えたことを特徴とする。
【００１１】
また、本発明は、ネットワークに接続され、前記ネットワークと通信可能な画像処理装置であって、マルチファイルの数の指定を受け付けるファイル数受付手段と、前記ファイル数受付手段で受け付けた指定にかかるマルチファイルの数に基づいて、配信対象となる原稿画像の複数ページのうち、一のマルチファイルにまとめられる前記原稿画像のページ数を算出するページ数算出手段と、前記ページ数算出手段で算出した前記原稿画像のページ数毎に、前記原稿画像の複数ページを分割してマルチファイルを生成するファイル分割手段と、前記ファイル分割手段により生成されたマルチファイルを前記ネットワーク介して配信するファイル配信手段と、を備えたことを特徴とする。
【００１２】
また、本発明の好ましい態様によれば、前記ファイル配信手段は、前記ファイル分割手段により生成されたマルチファイルの数、および／または当該マルチファイルにまとめられた前記原稿画像のページ数を含む名称を、前記ファイル分割手段により生成されたマルチファイルの名称にすること、が望ましい。
【００１３】
また、本発明の好ましい態様によれば、前記ファイル配信手段は、前記ファイル分割手段により生成されたマルチファイルの数、および／または当該マルチファイルにまとめられた前記原稿画像のページ数を含む名称を、前記ファイル分割手段に生成されたマルチファイルを添付したメールのサブジェクトとして配信すること、が望ましい。
【００１４】
また、本発明の好ましい態様によれば、前記マルチファイルの許容サイズの指定を受け付けるファイルサイズ受付手段と、前記ファイル配信手段により配信されるマルチファイルのサイズが、前記ファイルサイズ受付手段により受け付けた前記許容サイズを超える場合に、警告を示す情報を出力する警告出力手段と、をさらに備えることが望ましい。
【００１５】
また、本発明の好ましい態様によれば、前記マルチファイルの許容サイズの指定を受け付けるファイルサイズ受付手段と、前記ファイル配信手段により配信されるマルチファイルのサイズが、前記ファイルサイズ受付手段により受け付けた前記許容サイズを超える場合に、前記ファイル配信手段によるマルチファイルの配信を実行させるか否かを選択させる配信実行選択手段をさらに備えること、が望ましい。
【００１６】
また、本発明は、画像処理方法に関する発明であり、配信対象となる原稿画像の複数ページのうち、一のマルチファイルにまとめられるページ数の指定を受け付けつけるページ数受付工程と、前記ページ数受付工程で受け付けた指定にかかるページ数毎に、前記原稿画像のページを分割してマルチファイルを生成するファイル分割工程と、前記ファイル分割工程で生成したマルチファイルを配信するファイル配信工程と、を含むことを特徴とする。
【００１７】
また、本発明は、マルチファイルの数の指定を受け付けるファイル数受付工程と、前記ファイル数受付工程で受け付けた指定にかかるマルチファイルの数に基づいて、配信対象となる原稿画像の複数ページのうち、一のマルチファイルにまとめられる前記原稿画像のページ数を算出するページ数算出工程と、前記ページ数算出工程で算出した前記原稿画像のページ数毎に、前記原稿画像のページを分割してマルチファイルを生成するファイル分割工程と、前記ファイル分割工程で生成したマルチファイルを配信するファイル配信工程と、を含むことを特徴とする。
【００１８】
また、本発明は、プログラムに関する発明であり、上記画像処理方法をコンピュータに実行させること、を特徴とする。
【発明の効果】
【００１９】
本発明によれば、配信対象となる原稿画像の複数ページのうち、一のマルチファイルにまとめられるページ数の指定を受け付け、受け付けた指定にかかるページ数毎に、原稿画像のページを分割してマルチファイルを生成し、生成したマルチファイルを配信するので、ネットワークを介してファイルを配信する場合において、利用者による簡易な指示に応じたファイルサイズに分割することができるという効果を奏する。
【００２０】
また、本発明によれば、マルチファイルの数の指定を受け付け、受け付けた指定にかかるマルチファイルの数に基づいて、配信対象となる原稿画像の複数ページのうち、一のマルチファイルにまとめられる原稿画像のページ数を算出し、算出した原稿画像のページ数毎に、原稿画像のページを分割してマルチファイルを生成するので、ネットワークを介してファイルを配信する場合において、利用者による簡易な指示に応じたファイルサイズに分割することができるという効果を奏する。
【００２１】
また、本発明の好ましい態様によれば、生成されたマルチファイルの数を示す情報、および／または当該マルチファイルにまとめられた原稿画像のページ数を示す情報をマルチファイルのファイル名称として配信するので、配信先では、配信対象であるファイルが分割されたものであることを把握できるという効果を奏する。
【００２２】
また、本発明の好ましい態様によれば、生成されたマルチファイルの数を示す情報、および／または当該マルチファイルにまとめられた原稿画像のページ数を示す情報をマルチファイルを添付したメールのサブジェクトとして配信するので、配信先では、配信対象であるメールに添付されたファイルが分割されたものであることを把握することができるという効果を奏する。
【００２３】
また、本発明の好ましい態様によれば、マルチファイルの許容サイズの指定を受け付け、配信されるマルチファイルのサイズが、受け付けた許容サイズを超える場合に、警告を示す情報を出力するので、配信者に対して、ネットワークのトラフィックにより、配信失敗になるおそれがあることを知らせることができるという効果を奏する。
【００２４】
また、本発明の好ましい態様によれば、マルチファイルの許容サイズの指定を受け付け、配信されるマルチファイルのサイズが、受け付けた許容サイズを超える場合に、マルチファイルの配信を実行させるか否かを選択させるので、利用者の判断に反映したファイル配信を行うことができるという効果を奏する。
【発明を実施するための最良の形態】
【００２５】
以下に添付図面を参照して、本発明にかかる画像処理装置、画像処理方法、およびプログラムの最良な実施の形態を詳細に説明する。なお、この実施の形態によりこの発明が限定されるものではない。また、下記実施の形態における構成要素には、当業者が容易に想定できるもの、または実質的に同一のものが含まれる。
【００２６】
図１は、本発明の実施の形態にかかる画像処理装置１００の構成の一例を示す図である。本実施の形態の画像処理装置１００は、スキャナ部１０、画像記憶部２０、システム制御部３０、操作表示部４０、画像分割部５０、ファイル配信部６０、および通信制御部７０を備えて構成されている。なお、画像処理装置１００は、通信制御部７０を介して、ネットワークに接続されている。
【００２７】
スキャナ部１０は、システム制御部３０に制御され、原稿画像を読み込むためのものである。
【００２８】
画像記憶部２０は、システム制御部２０の命令を受け、スキャナ部１０で読み取った原稿画像を画像データとして、一時的に保存しておくためのものバッファメモリである。また、画像記憶部２０は、ネットワークを介して、外部から入力された画像データを一時的に保存しておくこともできる。
【００２９】
システム制御部３０は、画像処理装置１００を構成する各部と接続されており、画像処理装置１００全体の制御を行うものである。システム制御部３０は、不図示のＣＰＵ（Central Processing Unit）、ＲＯＭ（Read Only Memory）、ＲＡＭ（Random Access Memory）などから構成されており、ＣＰＵがＲＯＭに格納されたプログラムに基づいてＲＡＭのワーク領域を利用しながら動作することにより、各種処理が実行される。
【００３０】
なお、画像処理装置１００で実行されるプログラムは、インストール可能な形式又は実行可能な形式のファイルでＣＤ−ＲＯＭ、フレキシブルディスク（ＦＤ）、ＣＤ−Ｒ、ＤＶＤ（Digital Versatile Disk）などのコンピュータで読み取り可能な記録媒体に記録されて提供されてもよい。
【００３１】
この場合、システム制御部３０のＣＰＵが上記記憶媒体からプログラムを読み出して主記憶装置（図示せず）上にロードすることで、画像処理装置１００に各種の機能を実現させる。また、プログラムを、インターネットなどのネットワークに接続されたコンピュータ上に格納し、ネットワーク経由でダウンロードさせることにより提供するようにしてもよい。または、プログラムをインターネット等のネットワーク経由で提供若しくは配布するようにしてもよい。
【００３２】
操作表示部４０は、キー操作部やタッチパネル操作表示部などを備え、利用者が各種設定や動作指示を行うためのユーザインターフェイスである。操作表示部４０は、システム制御部３０に制御され、タッチパネル操作表示部を介して、必要な情報の表示をし、また設定内容の入力を受け付ける。
【００３３】
また、操作表示部４０は、原稿画像が複数ページある場合において、一のマルチファイルにまとめられるページ数の指定を受け付けることができる構成となっている。なお、ここで、マルチファイルとは、一のファイルの中に複数の画像ページが納められたファイルをいう。
【００３４】
また、操作表示部４０は、原稿画像が複数ページある場合において、マルチファイルの数の指定を受け付けることができる構成となっている。
【００３５】
また、操作表示部４０は、配信対象となるマルチファイルの許容サイズの指定を受け付けることができる構成となっている。
【００３６】
ファイル分割部５０は、本発明の特徴部分であるファイルの分割処理を行うためのものである。具体的には、画像処理部５０は、ファイル分割処理を実行するために、同図に示すように、ファイル取得部５２、ページ数算出部５４、およびマルチファイル化部５６をさらに含んで構成されている。
【００３７】
ファイル取得部５２は、画像記憶部２０に一次的に保存されている画像データを取得するためのものである。具体的には、操作表示部４０を介して一のマルチファイルにまとめられるページ数の指定を受け付けた場合に、画像記憶部２０に保存されている画像データを取得する。
【００３８】
また、ファイル取得部５２は、操作表示部４０を介してマルチファイルの数の指定を受け付けた場合にも、上記と同様に、画像記憶部２０に保存されている画像データを取得する。
【００３９】
ページ数算出部５４は、操作表示部４０を介してマルチファイルの数が指定されたことによってファイル取得部５２で取得した画像データを参照して、分割対象である原稿画像の複数ページのうち、一のマルチファイルにまとめられる原稿画像のページ数を算出するためのものである。
【００４０】
例えば、原稿画像のページ数が１０枚である場合において、操作表示部４０を介して指定されたマルチファイルの数が「２」であるとき、ページ数算出部５４は、一のマルチファイルにまとめられる原稿画像のページ数を「５」と算出する。また、同様に、原稿画像のページ数が１０枚である場合において、操作表示部４０を介して指定されたマルチファイルの数が「３」であるとき、ページ数算出部５４は、一のマルチファイルにまとめられる原稿画像のページ数を「３」と算出する。
【００４１】
マルチファイル化部５６は、であり、操作表示部４０を介してページ数が指定されたことによってファイル取得部５２で取得した画像データにかかる原稿画像の複数ページを、当該指定されたページ数毎に分割して、マルチファイルを生成する。
【００４２】
また、マルチファイル化部５６は、操作表示部４０でマルチファイル数の指定を受け付けたことによってファイル取得部５２で取得した画像データにかかる原稿画像の複数ページを、ページ数算出部５４で算出したページ数毎に分割して、マルチファイルを生成する。
【００４３】
なお、マルチファイル化部５６は、原稿画像のページを一枚ずつマージし、マージした複数のページを一のマルチファイルに納める。また、例えば、原稿画像のページ数が１０枚である場合において、一のファイルにまとめるページ数が３枚であるときは、１枚余ることになるが、余ったページのみをマルチファイルとしてファイルに納めることにする。
【００４４】
ファイル配信部６０は、ファイル分割部５０で生成されたマルチファイルを配信するためのものである。なお、ファイル配信部６０は、マルチファイルの数や当該マルチファイルにまとめられた原稿画像のページ数を含めた名称を、配信対象であるマルチファイルの文書名称として、通信制御部７０を介して配信先に配信する。これにより、配信先は、配信対象であるファイルが分割されたものであることを把握できる。
【００４５】
また、ファイル配信部６０は、マルチファイルの数や、当該マルチファイルにまとめられている原稿画像のページ数を含めた名称を、配信対象であるマルチファイルを添付したメールのサブジェクトとして、通信制御部７０を介して配信先に配信する。同様に、配信先は、配信対象であるファイルが分割されたものであることを把握できる。
【００４６】
通信制御部７０は、ＬＡＮ（ローカル・エリア・ネットワーク）やインターネットなどのネットワークと接続され、通信プロトコルに従ってネットワークに接続された他の機器との間で画像データや制御データなどのやり取りを行うものである。
【００４７】
上記構成において、操作表示部４０は、ページ数受付手段、ファイル数受付手段、およびファイルサイズ受付手段として機能する。また、ページ数算出部５４は、ページ数算出手段として機能し、マルチファイル化部５６は、ファイル分割手段として機能する。また、ファイル配信部６０は、ファイル配信手段および配信実行選択手段として機能する。
【００４８】
なお、本発明の画像処理装置は、複数の機器（例えば、ホストコンピュータ、インターフェイス機器、スキャナ、プリンタ等）から構成されるシステムに適用しても、１つの機器から構成される装置（ホストコンピュータ等）に適用しても良い。
【００４９】
また、本発明の目的は、上述した画像処理装置の機能を実現するソフトウエアのプログラムコードを記録した記録媒体を、システムまたは装置に供給し、そのシステムまたは装置のコンピュータ（または、ＣＰＵ、ＭＰＵ、ＤＳＰ）が記録媒体に格納されたプログラムコードを実行することによっても達成することが可能である。この場合、記録媒体から読み出されたプログラムコード自体が前述した画像処理装置の機能を実現することになり、そのプログラムコードまたはそのプログラムを記憶した記録媒体は本発明を構成することになる。プログラムコードを供給するための記録媒体としては、ＦＤ、ハードディスク、光ディスク、光磁気ディスク、ＣＤ−ＲＯＭ、ＣＤ−Ｒ、磁気テープ、不揮発性のメモリ、ＲＯＭなどの光記録媒体、磁気記録媒体、光磁気記録媒体、半導体記録媒体を使用することができる。
【００５０】
また、コンピュータが読み出したプログラムコードを実行することにより、前述した画像処理装置の機能が実現されるだけでなく、そのプログラムコードの指示に基づき、コンピュータ上で稼働しているＯＳ（オペレーティングシステム）などが実際の処理の一部または全部を行い、その処理によって前述した画像処理装置の機能が実現される場合も含まれること言うまでもない。
【００５１】
また、記録媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した画像処理装置の機能が実現される場合も含まれることは言うまでもない。
【００５２】
上記構成の画像処理装置１００は、ネットワークを介してファイルを送信する場合において、利用者によって操作表示部４０を介して指示されたページ数またはマルチファイル数に応じて、原稿画像の複数ページを分割してマルチファイルを生成し、生成したマルチファイルを配信する。
【００５３】
以下、上記処理について図２および図３を参照して詳細に説明する。図２は、本実施の形態の画像処理装置１００で行われる基本的な処理を示すシーケンス図である。図３は、本実施の形態における配信対象の取扱われ方を示す図である。
【００５４】
まず、スキャナ部１０によるスキャン処理（１）により、複数の原稿画像が読み取られる（Ｓ１）。なお、読み取った画像はＭＭＲ方式による圧縮され、全スキャン画像のシングルページが生成される。
【００５５】
ついで、スキャナ部１０に読み取られ、圧縮された画像ファイルは、画像記憶部２０へ転送され（Ｓ２）、画像記憶部２０に一時的に記憶される。
【００５６】
ついで、利用者による操作表示部４０を介しての画像ファイルの分割要求が行われると（Ｓ３）、ファイル分割部５０は、画像記憶部２０に画像ファイルの取得要求を行い（Ｓ４）、画像記憶部２０から画像ファイルを取得する（Ｓ５）。
【００５７】
ついで、ファイル分割部５０によるファイル分割処理（２）により、複数のシングルページが指定ページ数毎に分割され、さらに画像まとめ処理（３）により、マルチファイルが生成される（Ｓ６）。
【００５８】
ついで、利用者による操作表示部４０を介してのマルチファイルの配信要求が行われると（Ｓ７）、ファイル配信部６０は、マルチファイルの取得要求をし（Ｓ８）、マルチファイルを取得する（Ｓ９）。ついで、ファイル配信部６０によるファイル配信処理（４）により、マルチファイルが配信先に配信される（Ｓ１０）。
【００５９】
なお、配信先に配信されるマルチファイルは、ＴＩＦＦ（Tagged Image File Format）形式やＰＤＦ（Portable Document Format）形式に変換されたファイルである。
【００６０】
次に、本発明の特徴部分であるファイルの分割処理について図４を参照して説明する。図４は、本実施の形態の画像処理装置１００で行われるファイルの分割処理の手順を示すフローチャートである。なお、利用者が操作表示部４０を操作して配信要求を行い、操作表示部４０には、図５に示すファイル分割指定画面２００が表示されているものとする。また、分割対象となる原稿画像は複数ページであるものとする。
【００６１】
まず、ファイル分割指定画面２００のページ数欄２０２への入力、およびＯＫボタン２０６の押下により、一のマルチファイルにまとめられるページ数が指定された場合（ステップＳＡ−１：Ｙｅｓ）、指定ページ数に基づくマルチファイル化処理（図６参照）が実行される（ステップＳＡ−２）。
【００６２】
一方、ページ数の指定はなく（ステップＳＡ−１：Ｎｏ）、ファイル分割指定画面２００のファイル数欄への入力、およびＯＫボタン２０６の押下により、マルチファイルの数が指定された場合（ステップＳＡ−３：Ｙｅｓ）、指定ファイル数に基づくマルチファイル化処理（図７）が実行される（ステップＳＡ−４）。
【００６３】
なお、マルチファイル数の指定もない場合（ステップＳＡ−３：Ｎｏ）、処理は終了する。なお、この場合は、分割対象となる原稿画像の複数ページ全てをまとめてマルチファイル化される。
【００６４】
続けて、ステップＳＡ−２で実行される、指定ページ数に基づくマルチファイル化処理について、図６を参照して説明する。図６は、本実施の形態のファイル分割部５０で行われる、指定ページ数に基づくマルチファイル化処理の手順を示すフローチャートである。
【００６５】
まず、ファイル取得部５２の処理により、画像記憶部２０に一次的に保存されている画像データを取得する。即ち、画像データとしての複数のシングルページを取得する（ステップＳＡ−２０１）。
【００６６】
ついで、マルチファイル化部５６の処理により、指定されているページ数を超えることを分割条件として（ステップＳＡ−２０２）、ステップＳＡ−２０１で取得したシングルページを一枚ずつマージする（ステップＳＡ−２０３）。
【００６７】
ステップＳＡ−２０１で取得したシングルページを一枚ずつマージし、指定されているページ数を超えると（ステップＳＡ−２０４）、マージしたシングルページをまとめて一のマルチファイルに格納する（ステップＳＡ−２０５）。
【００６８】
ついで、マルチファイル化部５６の処理により、ステップＳＡ−２０１で取得したシングルページのうち、マルチファイルに納めていないシングルページがあるかどうかをチェックし（ステップＳＡ−２０６）、チェックした結果、シングルページが残っている場合（ステップＳＡ−２０７：Ｙｅｓ）、処理手順は、ステップＳＡ−２０２へ移行される。
【００６９】
一方、ステップＳＡ−２０６でチェックした結果、シングルページが残っていない場合（ステップＳＡ−２０７：Ｎｏ）、処理は終了する。
【００７０】
続けて、ステップＳＡ−４（図４参照）で実行される、指定ファイル数に基づくマルチファイル化処理について、図７を参照して説明する。図７は、本実施の形態のファイル分割部５０で行われる、指定ファイル数に基づくマルチファイル化処理の手順を示すフローチャートである。
【００７１】
まず、ファイル取得部５２の処理により、画像記憶部２０に一次的に保存されている画像データを取得する。即ち、画像データとしての複数のシングルページを取得する（ステップＳＡ−４０１）。
【００７２】
ついで、ページ数算出部５４の処理により、ステップＳＡ−４０１ファイル取得部５２で取得したシングルページを参照して、一のマルチファイルにまとめられる原稿画像のページ数を算出する（ステップＳＡ−４０８）。
【００７３】
同処理のステップＳＡ−４０２〜ステップＳＡ−４０７の手順は、上述した指定ページ数に基づくマルチファイル化処理（図６参照）のステップＳＡ−２０２〜ステップＳＡ−２０７の手順と同じであるため、省略する。
【００７４】
次に、本実施の形態で行われるマルチファイルの配信処理について、図８を参照して説明する。図８は、本実施の形態で行われるマルチファイルの配信処理の手順を示すフローチャートである。なお、配信対象となるマルチファイルのサイズの許容サイズは（指定量）は既に指定されているものとする。
【００７５】
まず、利用者による操作表示部４０の操作によって、配信要求がされ（ステップＳＢ−１）、配信対象となるマルチファイルの容量が指定量を超えている場合（ステップＳＢ−２：Ｙｅｓ）、ファイル配信部６０の処理により、操作表示部４０に警告画面３００（図９）が表示される（ステップＳＢ−３）。なお、指定量を越えていない場合（ステップＳＢ−２：Ｎｏ）、処理手順は、ステップＳＢ−６へ移行される。
【００７６】
ついで、警告画面３００上のＯＫボタン３０２が押下されると、ファイル配信部６０の処理により、操作表示部４０に配信実行選択画面４００（図１０）が表示させ（ステップＳＢ−４）、マルチファイルの配信を実行するか否かを利用者に選択させる。
【００７７】
配信実行選択画面４００上のＯＫボタン４０２が押下されると（ステップＳＢ−５：Ｙｅｓ）、ファイル配信部６０の処理により、配信先に対して、配信要求にかかるマルチファイルを配信する（ステップＳＢ−６）。なお、ファイル配信部６０は、図１１に示すように、ファイル名またはサブジェクト名を示す情報や、マルチファイルの識別情報、ページ数を示す情報を配信する。
【００７８】
以上説明したように、本実施の形態の画像処理装置１００によれば、一のマルチファイルにまとめられるページ数の指定を操作表示部４０にて受け付け、受け付けた指定にかかるページ数毎に、原稿画像の複数ページを分割してマルチファイルをマルチファイル化部５６で生成し、生成したマルチファイルを、ネットワークを介して、配信先に対して配信することとしたので、ネットワークを介してファイルを送信する場合において、利用者による簡易な指示に応じたファイルサイズに分割することができる。また、ファイルページ単位で分割を行うため、配信先で特別なマージツールがなくても、そのまま閲覧でき、またプリントアウトすることができる。
【００７９】
また、本実施の形態の画像処理装置１００によれば、マルチファイルの数の指定を操作表示部４０にて受け付け、受け付けた指定にかかるマルチファイルの数に基づいて、分割対象である原稿画像の複数ページのうち、一のマルチファイルにまとめられる原稿画像のページ数をページ数算出部５４で算出し、算出したページ数毎に、原稿画像の複数ページを分割してマルチファイルをマルチファイル化部５６で生成し、生成したマルチファイルを、ネットワークを介して、配信先に対して配信することとしたので、ネットワークを介してファイルを送信する場合において、利用者による簡易な指示に応じたファイルサイズに分割することができる。
【００８０】
また、本実施の形態の画像処理装置１００によれば、マルチファイルの許容サイズを操作表示部４０にて受け付け、受け付けた許容サイズが、マルチファイル化部５６で生成されたマルチファイルの容量を超えている場合には、そのマルチファイルの配信時に、ファイル配信部６０の処理により操作表示部４０に警告画面３００を表示させ、利用者に注意を喚起することとしたので、利用者に対して、ネットワークのトラフィックにより、配信が失敗になる恐れがある旨を知らせることができる。
【００８１】
また、本実施の形態の画像処理装置１００によれば、マルチファイルの許容サイズを操作表示部４０にて受け付け、受け付けた許容サイズが、マルチファイル化部５６で生成されたマルチファイルの容量を超えている場合には、そのマルチファイルの配信実行前に、ファイル配信部６０の処理により操作表示部４０に配信実行選択画面４００を表示させ、利用者に配信実行をするか否かを選択させることとしたので、利用者の判断に反映したファイル配信を行うことができる。
【００８２】
また、本実施の形態の画像処理装置１００によれば、ファイル配信部６０は、マルチファイル化部５６で生成されたマルチファイルの数や当該マルチファイルにまとめられたページ数を含む名称を、ファイル文書名またはサブジェクト名として、配信先に配信することとしたので、配信先では、配信対象であるメールに添付されたファイルが分割されたものであることを把握することができる。
【図面の簡単な説明】
【００８３】
【図１】本実施の形態の画像処理装置１００の構成の一例を示す図である。
【図２】本実施の形態の画像処理装置１００で行われる基本的な処理を示すシーケンス図である。
【図３】本実施の形態における配信対象の取扱われ方を示す図である。
【図４】本実施の形態の画像処理装置１００で行われるファイルの分割処理の手順を示すフローチャートである。
【図５】ファイル分割指定画面２００の一例を示す図である。
【図６】本実施の形態のファイル分割部５０で行われる、指定ページ数に基づくマルチファイル化処理の手順を示すフローチャートである。
【図７】本実施の形態のファイル分割部５０で行われる、指定ファイル数に基づくマルチファイル化処理の手順を示すフローチャートである。
【図８】本実施の形態で行われるマルチファイルの配信処理の手順を示すフローチャートである。
【図９】警告画面３００の一例を示す図である。
【図１０】配信実行選択画面４００の一例を示す図である。
【図１１】本実施の形態のファイル配信部６０から配信先に対して配信される配信対象のファイル名（サブジェクト名）などの一例を示す図である。
【符号の説明】
【００８４】
１００  画像処理装置
１０  スキャナ部
２０  画像記憶部
３０  システム制御部
４０  操作表示部
５０  ファイル分割部
５２  ファイル取得部
５４  ページ数算出部
５６  マルチファイル化部
６０  ファイル配信部
７０  通信制御部
【図１】
2008167287.tif 000003
【図２】
2008167287.tif 000004
【図３】
2008167287.tif 000005
【図４】
2008167287.tif 000006
【図５】
2008167287.tif 000007
【図６】
2008167287.tif 000008
【図７】
2008167287.tif 000009
【図８】
2008167287.tif 000010
【図９】
2008167287.tif 000011
【図１０】
2008167287.tif 000012
【図１１】
2008167287.tif 000013